(57)【要約】      （修正有）【課題】キーチェンジタイプのシリンダー錠で、容易にキーチェンジを復活させることができるようにする。【解決手段】外筒２と、内筒３と、内筒の鍵孔に向かって各々が弾性手段で付勢される複数の外タンブラー６と、外筒側の外タンブラー６と各々が対向配置に配設され鍵孔にその先端部が臨む複数の内タンブラー７と、内筒側に配設された中間タンブラー８と、中間タンブラー８が外筒側に残された際に解錠方向への回転途中にて内筒側に収納する中間タンブラー用収納部３ｃと、中間タンブラー用収納部３ｃに設けられ中間タンブラー８を支持するリセットピン９からなるシリンダー錠１であって、中間タンブラー用収納部３ｃに収納された中間タンブラー８を、リセットピン９を外筒側に押し出すことで外タンブラー６に戻し、その状態から鍵孔を初期状態に戻すことで内タンブラー７に中間タンブラー８を復帰させる復帰手段が設けられているシリンダー錠１とする。【選択図】図２
2006348557.tif 000002
【特許請求の範囲】
【請求項１】
外部部材に固定する固定手段を有する外筒と、該外筒に回転自在に内包され先端部から鍵孔が設けられ後端部で施解錠ドライバーに係合する内筒と、前記外筒に配設され前記内筒の鍵孔に向かって各々が弾性手段で付勢される複数の外タンブラーと、前記内筒に配設され前記外筒側の外タンブラーと各々が対向配置に配設され鍵孔にその先端部が臨む複数の内タンブラーと、対向する前記外タンブラーの先端部と前記内タンブラーの後端部とにおける任意の箇所の間で内筒側に配設された中間タンブラーと、該中間タンブラーが外筒側に残された際に解錠方向への回転途中にて内筒側に収納する中間タンブラー用収納部と、該中間タンブラー用収納部に設けられ中間タンブラーを支持するリセットピンからなるシリンダー錠であって、前記中間タンブラー用収納部に収納された中間タンブラーを、前記リセットピンを外筒側に押し出すことで外タンブラーに戻し、その状態から鍵孔を初期状態に戻すことで前記内タンブラーに中間タンブラーを復帰させる復帰手段が設けられていること、
を特徴とするシリンダー錠。
【請求項２】
復帰手段は、内筒の後端部の端面から該内筒の軸心に沿って平行に穿孔され中間タンブラー用収納部の夫々の後部に貫いて連通されたリセット孔と、該リセット孔に挿通される棒状体であって当該中間タンブラー用収納部に収納された中間タンブラーをリセットピンを介して外タンブラーに戻すテーパ部を有するリセット棒とであること、
を特徴とする請求項１に記載のシリンダー錠。
【請求項３】
リセット棒は、予めリセット孔内部に挿着されていて、弾性部材によりリセット方向とは逆方向に付勢され、内筒後端部の蓋の一部が係合することで前記リセット棒が抜け止めされていること、
を特徴とする請求項２に記載のシリンダー錠。
【発明の詳細な説明】
【技術分野】
【０００１】
本発明は、例えば、鍵の交換できるシリンダー錠において、新しい鍵を鍵穴に挿入して使用することで鍵の交換が完了するとともに、リセットすることも可能なシリンダー錠に関するものである。
【背景技術】
【０００２】
従来、ホテル、マンション、賃貸マンション等の集合住宅におけるシリンダー錠のキーチェンジ方法は、例えば、外筒と該外筒に回転自在に内包される内筒と、前記外筒に設けられ常に内筒の中心部に向かって付勢される複数個のタンブラーと、前記内筒に設けられる複数個のタンブラーと、前記対向する外筒と内筒とのタンブラー間に適宜に設けられる補助タンブラーとでなり、前記補助タンブラーを異なる鍵により当該錠から排除することでキーチェンジを可能にするものが知られている（特許文献１参照）。
【特許文献１】特開平１１−１２５０３９号公報
【発明の開示】
【発明が解決しようとする課題】
【０００３】
しかし、従来のシリンダー錠では、キーチェンジを繰り返して最後のキーとなった後は、キーチェンジが不可能となり、新しいシリンダー錠に交換するしかない。しかも、キーチェンジする度に、補助タンブラーがシリンダー錠から撤去されるので、リセットさせるには、内筒を外筒から脱着してその内筒のタンブラーに補助タンブラーを装着しなければならずきわめて手間が掛かる。また、グランドマスターキーが使用できても、過去に使用したオーナーキーを再使用することができない。前記内筒・外筒の交換無しで前記補助タンブラーの状態を復帰させることが出来れば、再び最初のキーから使用することができて便宜に成ると共にランニングコストの低減となる。本発明に係るシリンダー錠は、このような課題を解決するために提案されたものである。
【課題を解決するための手段】
【０００４】
本発明に係るシリンダー錠の上記課題を解決して目的を達成するための要旨は、外部部材に固定する固定手段を有する外筒と、該外筒に回転自在に内包され先端部から鍵孔が設けられ後端部で施解錠ドライバーに係合する内筒と、前記外筒に配設され前記内筒の鍵孔に向かって各々が弾性手段で付勢される複数の外タンブラーと、前記内筒に配設され前記外筒側の外タンブラーと各々が対向配置に配設され鍵孔にその先端部が臨む複数の内タンブラーと、対向する前記外タンブラーの先端部と前記内タンブラーの後端部とにおける任意の箇所の間で内筒側に配設された中間タンブラーと、該中間タンブラーが外筒側に残された際に解錠方向への回転途中にて内筒側に収納する中間タンブラー用収納部と、該中間タンブラー用収納部に設けられ中間タンブラーを支持するリセットピンからなるシリンダー錠であって、前記中間タンブラー用収納部に収納された中間タンブラーを、前記リセットピンを外筒側に押し出すことで外タンブラーに戻し、その状態から鍵孔を初期状態に戻すことで前記内タンブラーに中間タンブラーを復帰させる復帰手段が設けられていることである。
【０００５】
前記復帰手段は、内筒の後端部の端面から該内筒の軸心に沿って平行に穿孔され中間タンブラー用収納部の夫々の後部に貫いて連通されたリセット孔と、該リセット孔に挿通される棒状体であって当該中間タンブラー用収納部に収納された中間タンブラーをリセットピンを介して外タンブラーに戻すテーパ部を有するリセット棒とであること、；
また、前記リセット棒は、予めリセット孔内部に挿着されていて、弾性部材によりリセット方向とは逆方向に付勢され、内筒後端部の蓋の一部が係合することで前記リセット棒が抜け止めされていることを含むものである。
【発明の効果】
【０００６】
本発明のシリンダー錠によれば、キーチェンジを行う中間タンブラーを、元の位置である内筒側の内タンブラーに戻すことができるように、復帰手段を設けたので、再びキーチェンジを行うことができる。よって、ハウジングから脱着させた外筒及び内筒に対して、キーチェンジ機能を復帰させて、その外筒・内筒を防犯対策から他の離隔地の集合住宅等におけるシリンダー錠のハウジングに挿着して再び使用することで、再び複数回のキーチェンジを行うことができてランニングコストの低下となる。
【０００７】
この復帰手段として、中間タンブラー用収納部の後部を貫くリセット孔にリセット棒を差し込んで、前記中間タンブラーを前記中間タンブラー用収納部から外タンブラーに強制的に移動させるようにする。前記中間タンブラーをリセット孔の軸心と直交する方向に移動させるテーパ部があることで、複数箇所に設けられる中間タンブラーを纏めて一度に復帰させることが容易にできる。
【０００８】
また、前記リセット孔に前記リセット棒を挿着させておき、キーチェンジの復帰の際に、このリセット棒を弾性部材の付勢力に抗して復帰方向に押し込む。内筒にリセット棒が存在することで、工具としてリセット棒を持ち歩く必要が無くなり、リセット棒を無くしたり持ち忘れたりする等の不都合が無く便宜である。
【発明を実施するための最良の形態】
【０００９】
本発明に係るシリンダー錠１は、図１乃至図２に示すように、外部部材に固定する固定手段を有するハウジングに挿着される外筒２と、該外筒２に回転自在に内包され先端部から鍵孔３ａが設けられ後端部にて施解錠ドライバー４に係合する内筒３とがある。
【００１０】
前記外筒２に配設され前記内筒３の鍵孔３ａに向かって各々がコイルバネ等の弾性手段５で付勢される複数の外タンブラー６と、前記内筒３に配設され前記外筒２側の外タンブラー６と各々が対向配置に配設され鍵孔３ａにその先端部が臨む複数の内タンブラー７とが設けられている。
【００１１】
前記対向する前記外タンブラー６と内タンブラー７とにおいて、図２（Ａ）に示すように、例えば、ある列のタンブラーにおいて、例えば、その後方から４箇所（Ａ，Ｂ，Ｃ，Ｄ）で、外タンブラー６の先端部と内タンブラー７ａの後端部とにおける間で内筒側に、中間タンブラー８が配設されている。
【００１２】
前記内筒３には、中間タンブラー８が外筒２側に移動されて残されるキーチェンジの際に、解錠方向への回転途中にて内筒３側に収納する、中間に段部のある筒状の中間タンブラー用収納部３ｂが設けられている。そして、該中間タンブラー用収納部３ｂに前記中間タンブラー８を支持するリセットピン９が摺動自在に設けられている。
【００１３】
前記内筒３は、図３乃至図４に示すように、セキュリティーを向上させる複数種類の内タンブラー７を収納する、途中に段部を有する筒状の収納部３ｃが設けられ、それぞれが鍵孔３ａに至って貫通されている。
【００１４】
そして、前記中間タンブラー用収納部３ｂには、図５に示すリセットピン９が図２（Ｂ）に示すように収納されており、その先端の円錐状の頭部９ａに、キーチェンジの際に図６に示す中間タンブラー８が嵌合して載置されるものである。この中間タンブラー８は、図６（Ａ）に示すように、前記頭部９ａに載置できるように円錐状に凹部８ａが設けられ、更に、前記頭部９ａの先端が面一になるように若しくは突出するように、貫通孔８ｂが設けられている。
【００１５】
また、図３に示すように、内筒３における前記中間タンブラー用収納部３ｂの夫々の後部に、これらを貫いて連通され、内筒３の後端部の端面３ｅから該内筒３の軸心に沿って平行に穿孔されたリセット孔３ｄがある。
【００１６】
前記リセット孔３ｄは、内筒３及び外筒２をハウジングから脱着させた後に、後方からリセット棒１０を差込むためのものである。このリセット棒１０は、図７に示すような形状の棒状体である。
【００１７】
前記リセット棒１０は、図７に示すように、棒状の本体１０ａの途中に、突起１０ｂが設けられ、その片側にテーパ部１０ｃが形成されている。本体１０ａの一端部に頭部１０ｄが設けられる。前記テーパ部１０ｃは、リセット孔３ｄに挿入されると、リセットピン９の後端部に当接し、更に挿入することで、前記リセットピン９を当該挿入方向に直交する方向である外筒２側に押し出す。このテーパ部１０ｃが、前記中間タンブラー８のピッチに合わせたピッチで軸心方向に沿って４箇所に設けられているので、前記リセットピン９と中間タンブラー８とが全部纏めて、外筒２側に戻される。
【００１８】
このように、キーチェンジによって移動され中間タンブラー用収納部３ｂのリセットピン９の頭部９ａに嵌合した中間タンブラー８が、復帰手段１１である前記リセット孔３ｄとリセット棒１０とで、外筒２側の外タンブラー６に戻されるのである。その後は、その状態から鍵孔３ａに差し込んだキーを初期状態に戻すことで、前記内タンブラー７ａに前記中間タンブラー８を復帰させるものである。
【００１９】
なお、前記リセット棒１０は、ハウジングから内筒３及び外筒２を脱着させた後に、リセット孔３ｄに差し込む治具として使用するが、これに限らず、他の実施例として図８に示すように、予め内筒３の前記リセット孔３ｄ内部に挿着されていて、コイルバネ１２等の弾性部材によりリセット方向（軸心方向における前方向）とは逆方向（後方向）に付勢され、内筒後端部の蓋１３の一部が係合することで前記リセット棒１０が抜け止めされている、という構成にしても良い。
【００２０】
これにより、リセット時には、内筒３の後方から前記リセット棒１０の頭部１０ｄを前方向に細い棒等で押圧すればよいのである。前記リセット棒１０が内筒に常に存在するので、このリセット棒１０を持ち忘れて中間タンブラー８のリセットができない、というおそれがない。
【００２１】
このようにして構成される本発明のタンブラー錠１の使用方法を説明する。図１の初期状態から、図９（Ａ）に示すように、Ｎｏ．１のキー１４を鍵孔３ａに挿入する。すると、内筒側の内タンブラー７の頭部がそれぞれ，内筒３と外筒２との境目であるシャーライン（図中の符号、ＳＬ）に揃えられ、他の４箇所（Ａ，Ｂ，Ｃ，Ｄ）の内タンブラー７ａでは、その先端部に嵌合してある中間タンブラー８の外側が前記シャーラインに揃えられる。
【００２２】
前記キー１４で、解錠方向に回転させると、図９（Ｂ）から同図（Ｃ）のようになり、前記中間タンブラー８は内筒３側にあり、内筒３とともに回転される。よって、約４５度程度回転した時に、中間タンブラー用収納部３ｂが外筒２の外タンブラー６用の収納孔２ａと対峙するが、リセットピン９はその頭部９ａのフランジ部で中間タンブラー用収納部３ｂの段部に係合しているので中心部に向かって後退することが無く、前記頭部９ａの先端部が前記外タンブラー６とシャーラインを境目にして当接する。よって、外タンブラー６がシャーラインを越えて内筒側に突出することはない。
【００２３】
次に、キーチェンジする場合を説明する。前記ＮＯ．１のキー１４を紛失したり、内装業者や以前の使用者がキーを返さなかったりした場合には、図１０に示すように、Ｎｏ．２のキー１５を鍵孔３ａに挿入する。
【００２４】
このキー１５は、図１０（Ａ），（Ｂ）に示すように、４箇所の中間タンブラー８が存在するＡ，Ｂ，Ｃ，Ｄの位置のうち、一番手前のＡ位置において、キー溝が刻設されていない。よって、キー１５の鍵孔３ａへの挿入により、そのＡ位置の内タンブラー７ａの頭部先端がシャーラインに揃い、中間タンブラー８が前記シャーラインを越えて外筒２側に移動する。
【００２５】
そして、前記キー１５を解錠方向に回転させると、図１０（Ｃ）に示すように、その途中の回転角度が約４５度付近で、中間タンブラー用収納部３ｂが外筒２の収納孔２ａに至る。すると、前記中間タンブラー８が外タンブラー６と弾性手段５とで内筒中心部に向かって押され、前記中間タンブラー用収納部３ｂの孔径が前記収納孔２ａの孔径よりも若干大きいので、シャーラインを越えて内筒３側に落ち込みリセットピン９の頭部９ａに嵌合する。その後は、この中間タンブラー８が内筒３と共に回転する。このように中間タンブラー８は、リセットピン９の頭部９ａにおける中間タンブラー用収納部３ｂとの隙間に入り込むのである。
【００２６】
前記キー１５を使用して、内筒を約４５度以上の角度に回転させることで、前記Ａ位置の中間タンブラー８が内筒３の内タンブラー７用の収納部３ｃから、一旦、外筒２の収納孔２ａを介して、中間タンブラー用収納部３ｂに収納されるようになる。こうして、キー１５を鍵孔３ａから抜くと、図１１（Ａ），（Ｂ）に示す状態になる。
【００２７】
この状態では、前記キー１４を鍵孔３ａに差し込んでも、Ａ位置ではこのキー１４にキー溝があって、且つ、中間タンブラー８が存在しないので、外筒２側の外タンブラー６がシャーラインを越えて内筒側に突入し、内筒３を解錠方向に回転させようとしても回転させることができない。このように、キーチェンジが行われる。そして、同様に、次々にキーチェンジすると、Ｂ，Ｃ，Ｄの各位置の中間タンブラー８が、内筒３の前記Ｂ，Ｃ，Ｄの位置における中間タンブラー用収納部３ｂにそれぞれ収納される。
【００２８】
前記Ｄ位置にＮＯ．５のキーを差し込んで使用すると、それ以上はキーチェンジが行えない。４個の中間タンブラー８がすべて、４箇所の中間タンブラー用収納部３ｂに収納されてしまったからである。従来例のシリンダー錠では、これで使用することできなくなるが、本発明に係るシリンダー錠１では、中間タンブラー８のリセットを行う。かかるリセット方法は、使用しているキーが、Ｎｏ．２〜Ｎｏ．５の途中であっても、最後であっても、何れからでも良く、リセットすることで、シリンダー錠１は、Ｎｏ．１のキー１４からの使用となる。
【００２９】
これには、最初に、シリンダー錠１において、特殊なキーを差し込んで回転させ、係止片等の係止作用を解除させて、ハウジングから外筒２及び内筒３を脱着させる。
【００３０】
そして、図１２（Ａ）に示すように、リセット時において使用可能なキー（Ｎｏ．２〜Ｎｏ．５のうち、図では一例としてＮｏ．２にしてある）１４を鍵孔３ａに差し込む。
次に、前記キー１５を、解錠方向へ約４５度付近に回す。すると、図１２（Ｂ），（Ｃ）に示すように、中間タンブラー用収納部３ｂが、反時計方向に回転移動して、外筒２の収納孔２ａに対峙する。  
【００３１】
ここで、内筒３の後端部の端面３ｅ（図３（Ａ）参照）から、リセット棒１０をリセット孔３ｄに差し込む。このリセット棒１０のテーパ部１０ｃによって、前記Ａ位置のリセットピン９が直交する方向の収納孔２ａ側に強制的に移動される。リセットピン９の頭部９ａに嵌合していた中間タンブラー８が、シャーラインを越えて、外筒側の収納孔２ａに入り込み、外タンブラー６を押して弾性手段５を縮退させる。
【００３２】
その状態から、前記キー１５を元に戻す方向（時計方向）に回転させる。その際に、リセット棒１０を、前記キー１５を少し戻す方向に回転させて中間タンブラー用収納部３ｂを時計方向に回転させて、円錐状の頭部９ａがシャーラインに当接して、中間タンブラー８が内筒側の中間タンブラー用収納部３ｂの孔縁部に当たって戻らないようになってから、引き抜くものである。
【００３３】
そして、キー１５を更に戻す方向に回転させると、前記Ａ位置の前記中間タンブラー８が外筒２側の収納孔２ａに収納され、キー１５が元の位置に戻ると、内筒３の収納部３ｃと前記収納孔２ａとが対峙する。更に、キー１５を鍵孔３ａから引き抜くと、図２に示すように、Ａ位置の弾性手段５及び外タンブラー６によって中心部方向に押されて、前記中間タンブラー８は内タンブラー７ａを押し込み、シャーラインを越えて内筒側の収納孔３ｃに収納される。
【００３４】
こうして、Ａ位置における中間タンブラー８が、前記中間タンブラー用収納部３ｂから、収納孔３ｃに移されてリセットが完了する。このリセット完了した内筒及び外筒を再び、シリンダー錠のハウジングに挿着して、最初のＮｏ．１のキー１４から使用するものである。なお、その際には、前記シリンダー錠１は、それまで使用していた集合住宅等とは別の場所の集合住宅のドア等において使用して管理するのが、防犯上好ましい。
【００３５】
このようにして、キーチェンジが行われるシリンダー錠１において、キーチェンジを行った後に、ハウジングから内筒及び外筒を脱着させて、リセット孔３ｄにリセット棒１０を差し込むことで、再び中間タンブラー８が初期状態に戻り、最初のＮｏ．１キーからキーチェンジが出来るようになり、繰り返しの使用が可能となる。
【００３６】
また、図８に示すように、他の実施例として、リセット棒１０が予め内筒３のリセット孔３ｄに内装されていれば、リセット時に、細い棒でリセット方向にリセット棒１０を押し込むだけで、リセットさせることができる。工具としてのリセット棒１０を忘れた場合の不都合が解消されるものである。
【図面の簡単な説明】
【００３７】
【図１】本発明に係るシリンダー錠１の、正面図（Ａ），平面図（Ｂ），底面図（Ｃ），左右側面図（Ｄ），（Ｅ）である。
【図２】同本発明のシリンダー錠１の初期状態の断面図（Ａ）と、中間タンブラー８が存在する部分のＸ−Ｘ線に沿った横断面図（Ｂ）である。
【図３】同シリンダー錠１における内筒３の、正面図（Ａ）と、側面図（Ｂ）とである。
【図４】同内筒３の断面図（Ａ）と、側面図（Ｂ）とである。
【図５】同シリンダー錠１におけるリセットピン９の、正面図（Ａ）と、左右側面図（Ｂ），（Ｃ）である。
【図６】同シリンダー錠１における中間タンブラー８の、断面図（Ａ）と、左右側面図（Ｂ），（Ｃ）と、正面図（Ｄ）とである。
【図７】同シリンダー錠１におけるリセット棒１０の、正面図（Ａ）と、側面図（Ｂ）と、平面図（Ｃ）とである。
【図８】本発明のシリンダー錠１における他の実施例に係る半断面図である。
【図９】本発明に係れるシリンダー錠１にＮｏ．１のキー１４を鍵孔３ａに挿入した状態の断面図（Ａ）と、その状態のＡ位置における断面図（Ｂ）と、同じくキー１４を回転させた状態の断面図（Ｃ）とである。
【図１０】本発明に係るシリンダー錠１にＮｏ．２のキー１５を差し込んでキーチェンジしている様子を示す断面図（Ａ）と、同じくＡ位置での断面図（Ｂ）と、キー１５が解錠方向へ回転され、中間タンブラー８が中間タンブラー用収納部３ｂに収納された状態を示す断面図（Ｃ）とである。
【図１１】シリンダー錠１がキーチェンジされ、Ａ位置の中間タンブラー８が収納部３ｃから除去された状態の断面図（Ａ）と、そのＡ位置の中間タンブラー用収納部３ｂに中間タンブラー８が収納された状態を示す横断面図（Ｂ）とである。
【図１２】シリンダー錠１において、リセットを行うときの断面図（Ａ）と、そのときのＡ位置の断面図（Ｂ）と、キーを回転させてリセット孔３ｄにリセット棒１０を挿入して、前記Ａ位置における中間タンブラー８を収納孔２ａに押し戻している様子を示す断面図（Ｃ）とである。
【符号の説明】
【００３８】
１          シリンダー錠、
２          外筒、                            ２ａ        収納孔、
３          内筒、                            ３ａ        鍵孔、
３ｂ        中間タンブラー用収納部、          ３ｃ        収納部、
３ｄ        リセット孔、                      ３ｅ        端面、
４          施解錠ドライバー、
５          弾性手段、
６          外タンブラー、
７，７ａ    内タンブラー、
８          中間タンブラー、
９          リセットピン、                    ９ａ        頭部、
１０        リセット棒、                      １０ａ      本体、
１０ｂ      突起、                            １０ｃ      テーパ部、
１０ｄ      頭部、
１１        復帰手段、
１２        コイルバネ、  
１３        蓋、
１４        Ｎｏ．１キー、
１５        Ｎｏ．２キー。
【図１】
2006348557.tif 000003
【図２】
2006348557.tif 000004
【図３】
2006348557.tif 000005
【図４】
2006348557.tif 000006
【図５】
2006348557.tif 000007
【図６】
2006348557.tif 000008
【図７】
2006348557.tif 000009
【図８】
2006348557.tif 000010
【図９】
2006348557.tif 000011
【図１０】
2006348557.tif 000012
【図１１】
2006348557.tif 000013
【図１２】
2006348557.tif 000014